(57)【要約】【課題】ファクシミリ画像の再送信にかかる費用を低減させる手段を提供する。【解決手段】ファクシミリ受信した画像情報を記憶部に蓄積する画像蓄積部と、前記画像情報の送信元を判定する送信元判定部と、前記送信元判定部の判定結果に基づいて前記画像蓄積部に蓄積させたままとする前記画像情報と、外部装置に蓄積する前記画像情報とを決定する制御部と、を備えた。【選択図】        図１
2016134829.tif 000002
【特許請求の範囲】
【請求項１】
ファクシミリ受信した画像情報を記憶部に蓄積する画像蓄積部と、
前記画像情報の送信元を判定する送信元判定部と、
前記送信元判定部の判定結果に基づいて前記画像蓄積部に蓄積させたままとする前記画像情報と、外部装置に蓄積する前記画像情報とを決定する制御部と、
を有することを特徴とする画像形成装置。
【請求項２】
請求項１に記載の画像形成装置において、
前記画像蓄積部に蓄積した前記画像情報を、前記外部装置へ送信して前記外部装置の記憶部に蓄積させる外部蓄積部を有し、
前記送信元判定部は、前記送信元が海外であるか国内であるかを判定し、
前記制御部は、前記送信元が海外である場合、前記画像情報を前記画像蓄積部に蓄積させたままとし、前記送信元が国内である場合、前記画像蓄積部に蓄積された前記画像情報を前記外部蓄積部により前記外部装置の記憶部へ移動することを特徴とする画像形成装置。
【請求項３】
請求項２に記載の画像形成装置において、
前記画像蓄積部は、前記画像情報を蓄積した記憶部の残記憶容量を判定し、
前記制御部は、前記画像蓄積部により前記残記憶容量が所定量以下になったと判定された場合に、前記送信元が国内である前記画像情報を前記外部蓄積部により前記外部装置の記憶部へ移動することを特徴とする画像形成装置。
【請求項４】
請求項２または請求項３に記載の画像形成装置において、
前記送信元判定部は、ファクシミリ受信した相手先情報に基づいて前記送信元が海外であるか国内であるかを判定することを特徴とする画像形成装置。
【請求項５】
請求項４に記載の画像形成装置において、
前記相手先情報は、ファクシミリ信号の送信端末識別信号であることを特徴とする画像形成装置。
【請求項６】
請求項４または請求項５に記載の画像形成装置において、
前記送信元判定部は、自機電話番号に含まれる国コードと、前記相手先情報に含まれる国コードとを比較し、一致する場合、前記送信元が国内であると判定し、一致しない場合、前記送信元が海外であると判定することを特徴とする画像形成装置。
【発明の詳細な説明】
【技術分野】
【０００１】
本発明は、ファクシミリ画像データを蓄積する画像形成装置に関する。
【背景技術】
【０００２】
従来の画像形成装置は、受信したファクシミリ画像をメモリに蓄積しておき、ユーザの操作により蓄積したファクシミリ画像を印刷する機能を備え、蓄積したファクシミリ画像が多くなるとメモリの記憶領域が不足するメモリオーバフローとなり、ファクシミリ画像が受信できなくなるため、メモリフルに近づくと蓄積したファクシミリ画像を外部の装置に転送し、ファクシミリ画像を受信できるようにしている（例えば、特許文献１参照）。
【先行技術文献】
【特許文献】
【０００３】
【特許文献１】特開平６−１１３０８６号公報
【発明の概要】
【発明が解決しようとする課題】
【０００４】
しかしながら、従来の技術においては、外部の装置が故障等によりファクシミリ画像を転送することができない場合、ユーザは送信元にファクシミリ画像の再送信を依頼する必要があり、再送信による通信料などの費用が送信元により多大になるという問題がある。
本発明は、このような問題を解決することを課題とし、ファクシミリ画像の再送信にかかる費用を低減させることを目的とする。
【課題を解決するための手段】
【０００５】
そのため、本発明は、ファクシミリ受信した画像情報を記憶部に蓄積する画像蓄積部と、前記画像情報の送信元を判定する送信元判定部と、前記送信元判定部の判定結果に基づいて前記画像蓄積部に蓄積させたままとする前記画像情報と、外部装置に蓄積する前記画像情報とを決定する制御部と、を有することを特徴とする。
【発明の効果】
【０００６】
このようにした本発明は、ファクシミリ画像の再送信にかかる費用を低減させることができるという効果が得られる。
【図面の簡単な説明】
【０００７】
【図１】実施例におけるＭＦＰの構成を示すブロック図
【図２】実施例における画像形成システムの構成を示すブロック図
【図３】実施例における操作パネルの説明図
【図４】実施例におけるファクシミリ管理情報の構成を示す説明図
【図５】実施例における受信処理の流れを示すフローチャート
【図６】実施例におけるバックアップ処理の流れを示すフローチャート
【図７】実施例における相手先情報判定処理の流れを示すフローチャート
【発明を実施するための形態】
【０００８】
以下、図面を参照して本発明による画像形成装置の実施例を説明する。
【実施例】
【０００９】
図２は実施例における画像形成システムの構成を示すブロック図である。
図２において、画像形成システム１は、ＭＦＰ（ＭｕｌｔｉＦｕｎｃｔｉｏｎ  Ｐｅｒｉｐｈｅｒａｌ）（送信側）２ａと、ＭＦＰ（受信側）２ｂと、交換回線網３と、回線４とを有している。
画像形成装置としてのＭＦＰ（送信側）２ａおよびＭＦＰ（受信側）２ｂは、ファクシミリ送受信機能を備えた複合装置であり、詳細な構成は後述する。
【００１０】
交換回線網３は、公衆電話網やローカル電話網などの交換回線網である。
回線４は、ＭＦＰ２ａおよびＭＦＰ２ｂと、交換回線網３とを通信可能に接続する電話回線である。
このように構成された画像形成システム１は、ＭＦＰ２ａおよびＭＦＰ２ｂとの間でファクシミリの送受信を行うことができるようになっている。なお、本実施例では、ＭＦＰ２ａおよびＭＦＰ２ｂは同じ構成であり、ＭＦＰ２ａを送信側のＭＦＰ、ＭＦＰ２ｂを受信側のＭＦＰとして説明する。
【００１１】
図１は実施例におけるＭＦＰの構成を示すブロック図である。
図１において、ＭＦＰ２（２ａ、２ｂ）は、制御部１１と、読取装置４６と、操作パネル４７と、ＮＣＵ（Ｎｅｔｗｏｒｋ  Ｃｏｎｔｒｏｌ  Ｕｎｉｔ）４８と、印刷装置４９と、ＮＩＣ（Ｎｅｔｗｏｒｋ  Ｉｎｔｅｒｆａｃｅ  Ｃａｒｄ）５０とを有している。
読取装置４６は、ＣＣＤ（Ｃｈａｒｇｅ  Ｃｏｕｐｌｅｄ  Ｄｅｖｉｃｅ）センサ等を利用したスキャナ等であり、原稿を読取り、ドットイメージデータ等の画像データ（画像情報）を生成するものである。
【００１２】
操作パネル４７は、ディスプレイ等の表示部および入力操作を受付ける入力部を備えたものである。この操作パネル４７は、例えば図３に示すように、ＭＦＰ２の状態などを表示する液晶表示装置（ＬＣＤ）やＣＲＴディスプレイ等の表示部４７１と、ＭＦＰ２を操作するために入力操作を受付けるファンクションキー４７２ａ、設定キー４７２ｂ、クリアキー４７２ｃ、ＯＫキー４７２ｄ、テンキー４７２ｅ、各種操作キー等の入力部４７２とを備えたものである。操作パネル４７では、ＭＦＰ２の自機電話番号の入力操作を受付けて、入力された自機電話番号をＦＬＡＳＨメモリ４４に記憶させて登録することができるようになっている。
【００１３】
ＮＣＵ４８は、網制御装置であり、モデム４５と図２に示す交換回線網３との接続および解放を制御するものである。
印刷装置４９は、感熱記録方式、電子写真方式等を用いたプリンタ装置であり、ファクシミリ受信した画像等を記録媒体に印刷するものである。
ＮＩＣ５０は、ネットワークカードであり、通信回線としてのネットワーク５１を介して外部装置としてのサーバ６０との間の通信制御を行うものである。
【００１４】
制御部１１は、システム制御部２１と、読取制御部２２と、画像蓄積部２３と、操作パネル制御部２４と、通信制御部２５と、印刷制御部２６と、符号化復号化部２７と、受信画像バックアップ部２８と、相手先情報判定部２９と、ＲＯＭ４２と、ＲＡＭ４３と、ＦＬＡＳＨメモリ４４と、モデム４５とを有している。制御部１１は、制御プログラム（ソフトウェア）に基づいてシステムバス１２に接続されたＭＦＰ２のハードウェア全体の動作を制御するものである。
【００１５】
システム制御部２１は、ＣＰＵ（（Ｃｅｎｔｒａｌ  Ｐｒｏｃｅｓｓｉｎｇ  Ｕｎｉｔ）４１を有し、ＭＦＰ２内の資源を管理し、制御プログラムの起動や調停を行うものである。
ＲＯＭ４２は、記憶手段であり、システム制御部２１によって実行される制御プログラムを予め記憶するものである。
ＲＡＭ４３は、記憶手段であり、システム制御部２１による制御プログラムの実行時に発生するデータを記憶するものである。
【００１６】
記憶部としてのＦＬＡＳＨメモリ４４は、不揮発性のメモリであり、ファクシミリ送受信されるファクシミリ画像データをファクシミリ管理情報として格納するものである。また、ＦＬＡＳＨメモリ４４は、操作パネル４７で受付けたＭＦＰ２の自機電話番号を格納するものである。なお、ファクシミリ管理情報の構成は後述する。
モデム４５は、変復調装置であり、ファクシミリ伝送制御手順による手順データや画像データを変復調し、相手方のファクシミリ装置（ＭＦＰ等）との間でデータの授受を行うものである。
【００１７】
読取制御部２２は、読取装置４６を制御し、原稿の画像データを取得するものである。
画像蓄積部２３は、読取制御部２２で取得した画像データや通信制御部２５でファクシミリ受信したデータを変換した画像データ（画像情報）をファクシミリ管理情報としてＦＬＡＳＨメモリ４４に記憶させ、蓄積するものである。また、ファクシミリ画像データを蓄積することができる領域としてＦＬＡＳＨメモリ４４の残記憶容量を監視するものである。
操作パネル制御部２４は、操作パネル４７を制御し、ユーザインタフェースを実行するものである。
【００１８】
通信制御部２５は、モデム４５やＮＣＵ４８を制御し、図２に示す交換回線網３と接続し、相手方のファクシミリ装置（ＭＦＰ等）との間でファクシミリ伝送制御手順および画像データの授受を行うものである。
印刷制御部２６は、印刷装置４９を制御し、適切な印刷媒体の選択と画像データの印刷を行うものである。
符号化復号化部２７は、読取制御部２２で読み取った画像データの圧縮や受信データの復号化を行うものである。
【００１９】
外部蓄積部としての受信画像バックアップ部２８は、画像蓄積部２３でＦＬＡＳＨメモリ４４に蓄積した画像データを、ＮＩＣ５０を介し、外部装置としてのサーバ６０へ画像データを送信し、送信した画像データをサーバ６０の記憶部に記憶、蓄積させるものである。
送信元判定部としての相手先情報判定部２９は、画像データの送信元（ファクシミリ送信元）を判定するものである。相手先情報判定部２９は、ファクシミリ受信したデータが海外からの相手先から受信したものか国内の相手先から受信したものか、即ちファクシミリ受信の相手先が海外であるか国内であるかを判定するものである。
【００２０】
制御部１１は、相手先情報判定部２９の判定結果に基づいて画像蓄積部２３によりＦＬＡＳＨメモリ４４に蓄積させたままとする画像データと、外部装置としてのサーバ６０に蓄積する画像データとを決定する。
制御部１１は、相手先情報判定部２９が行った判定の結果、画像データの送信元が海外である場合、画像データをＦＬＡＳＨメモリ４４に蓄積させたままとし、送信元が国内である場合、画像蓄積部２３によりＦＬＡＳＨメモリ４４に蓄積された画像データを受信画像バックアップ部２８によりサーバ６０の記憶部へ移動する。
【００２１】
さらに、制御部１１は、画像蓄積部２３により画像データを蓄積したＦＬＡＳＨメモリ４４の残記憶容量を判定し、残記憶容量が所定量以下になったと判定された場合に、画像データの送信元が国内である画像データを受信画像バックアップ部２８によりサーバ６０の記憶部へ移動する。
【００２２】
図４は実施例におけるファクシミリ管理情報の構成を示す説明図である。
図４において、ファクシミリ管理情報７０は、ＦＬＡＳＨメモリ４４に格納されるものであり、管理番号７１と、通信種別７２と、国種別７３と、相手先情報（ＴＳＩ）７４と、画像データ７５とにより構成されたものである。このファクシミリ管理情報７０は、管理番号７１、通信種別７２、国種別７３、相手先情報（ＴＳＩ）７４、および画像データ７５で１つのレコードを構成し、複数のレコードを格納することができるものである。
【００２３】
管理番号７１は、格納されている画像データを管理するための情報である。この管理番号７１は、格納されている画像データに対応付けて「１」から昇順に付与されるものである。
通信種別７２は、格納されている画像データがファクシミリ送信した画像データであるか、ファクシミリ受信した画像データであるかを識別する情報である。
国種別７３は、ファクシミリ送受信の相手先が海外であるか、国内であるかを識別する情報である。
【００２４】
相手先情報（ＴＳＩ）７４は、ファクシミリ送受信の相手先を表す情報であり、ファクシミリ信号のＴＳＩ（Ｔｒａｎｓｍｉｔｔｉｎｇ  Ｓｕｂｓｃｒｉｂｅｒ  Ｉｎｄｅｎｔｉｆｉｃａｔｉｏｎ：送信端末識別信号）に該当するものである。
画像データ７５は、ファクシミリ送受信した画像データであり、原稿の１ページを１つのファイルとして格納したものである。
なお、「ＦＦＦＦＦＦＦＦ」は、情報が格納されていないことを表している。
【００２５】
上述した構成の作用について説明する。
まず、ＭＦＰが行う受信処理を図５の実施例における受信処理の流れを示すフローチャートの図中Ｓで表すステップに従って図１および図４を参照しながら説明する。
Ｓ１０１：ＭＦＰ２（図１に示すＭＦＰ（受信側）２ｂ）の制御部１１は、通信制御部２５により、ＮＣＵ４８およびモデム４５を介して送信側のファクシミリ装置（例えば、図１に示すＭＦＰ（送信側）２ａから送信されたファクシミリデータを受信する。
【００２６】
Ｓ１０２：制御部１１の画像蓄積部２３は、通信制御部２５で受信したファクシミリデータの相手先情報（ＴＳＩ）をＦＬＡＳＨメモリ４４のファクシミリ管理情報７０の相手先情報（ＴＳＩ）７４に格納する。
このとき、画像蓄積部２３は、ファクシミリ管理情報７０の管理番号７１の「ＦＦＦＦＦＦＦＦ」を検索し、相手先情報（ＴＳＩ）を格納する管理番号を取得する。例えば、図４に示すように、管理番号７１に「１」から「４」までが管理番号として格納され、５番目が「ＦＦＦＦＦＦＦＦ」の場合、相手先情報（ＴＳＩ）を格納する管理番号を「５」として取得する。
【００２７】
画像蓄積部２３は、取得した管理番号である５番目のレコードの管理番号７１に「５」を格納し、当該レコードの相手先情報（ＴＳＩ）７４に、受信したファクシミリデータの相手先情報（ＴＳＩ）を保存する。
【００２８】
Ｓ１０３：また、画像蓄積部２３は、ファクシミリ管理情報７０の通信種別７２にファクシミリを受信したことを表す「Ｒｘ」を格納し、さらにファクシミリ管理情報７０の画像データ７５にファクシミリ受信した画像データのファイル名を格納し、ファクシミリ管理情報７０を更新する。
ファクシミリ受信した画像データのファイル名は、例えば“管理番号”および“ページ番号”を組み合わせた“００１−１．ｄａｔ”等の一意のファイル名となるように付与するものとする。
【００２９】
Ｓ１０４：画像蓄積部２３は、ファクシミリ受信した画像データをファクシミリ管理情報７０の画像データ７５に格納したファイル名と対応付けてＦＬＡＳＨメモリ４４に保存し、本処理を終了する。
このように制御部１１は、ファクシミリ受信する度に上述した受信処理を行う。
【００３０】
次に、ＭＦＰが行うバックアップ処理を図６の実施例におけるバックアップ処理の流れを示すフローチャートの図中Ｓで表すステップに従って図１および図４を参照しながら説明する。なお、このバックアップ処理は、図５に示すＳ１０４の処理を行った後に実行されるものとする。
【００３１】
Ｓ２０１：ＭＦＰ２の制御部１１は、画像蓄積部２３により、ＦＬＡＳＨメモリ４４の残記憶容量が所定の容量（ニアエンド、例えば１２８Ｋバイト）以下になったか否かを判定する。制御部１１は、ＦＬＡＳＨメモリ４４の残記憶容量が所定の容量以下になったと判定すると処理をＳ２０２へ移行し、所定の容量以下になっていないと判定すると本処理を終了する。
Ｓ２０２：ＦＬＡＳＨメモリ４４の残記憶容量が所定の容量以下になったと判定した制御部１１は、ファクシミリ管理情報７０のレコードを参照するためのインデックス（変数）を「１」に初期化する。
【００３２】
Ｓ２０３：制御部１１は、インデックスに基づいてファクシミリ管理情報７０の管理番号７１を取得する。
Ｓ２０４：制御部１１は、取得した管理番号７１が「ＦＦＦＦＦＦＦＦ」であるか否か、すなわちファクシミリ管理情報７０に格納されたレコードが終了したか否かを判定する。制御部１１は、管理番号７１が「ＦＦＦＦＦＦＦＦ」であると判定するとファクシミリ管理情報７０に格納されたレコードが終了したと判定して本処理を終了し、管理番号７１が「ＦＦＦＦＦＦＦＦ」でないと判定すると処理をＳ２０５へ移行する。
【００３３】
Ｓ２０５：管理番号７１が「ＦＦＦＦＦＦＦＦ」でないと判定した制御部１１は、インデックスに基づいてファクシミリ管理情報７０の通信種別７２を取得する。制御部１１は、取得した通信種別７２が「Ｒｘ」であるか否か、すなわち当該管理番号のレコードがファクシミリ受信であるか否かを判定する。制御部１１は、通信種別７２が「Ｒｘ」でないと判定すると本処理を終了し、通信種別７２が「Ｒｘ」であると判定すると処理をＳ２０６へ移行する。
【００３４】
Ｓ２０６：通信種別７２が「Ｒｘ」であると判定した制御部１１は、当該管理番号の相手先情報（ＴＳＩ）７４が「海外」か「国内」であるかを判定する相手先情報判定処理を行う。この相手先情報判定処理の詳細は後述する。
Ｓ２０７：制御部１１は、相手先情報判定処理の結果、当該管理番号の相手先情報（ＴＳＩ）７４が「海外」であると判定すると処理をＳ２１０へ移行し、「国内」であると判定すると処理をＳ２０８へ移行する。
【００３５】
Ｓ２０８：相手先情報（ＴＳＩ）７４が「国内」であると判定した制御部１１は、画像蓄積部２３により、当該管理番号の画像データ７５に格納されたファイル名に対応する画像データをＦＬＡＳＨメモリ４４から読み出す。制御部１１は、ＦＬＡＳＨメモリ４４から読み出した画像データを、受信画像バックアップ部２８により、サーバ６０へ送信してサーバ６０の記憶部に保存する。
【００３６】
Ｓ２０９：制御部１１は、画像蓄積部２３により、ＦＬＡＳＨメモリ４４から読み出してサーバ６０へ送信した画像データをＦＬＡＳＨメモリ４４から消去（削除）する。
Ｓ２１０：制御部１１は、ファクシミリ管理情報７０のレコードを参照するためのインデックス（変数）を「＋１」して更新し、処理をＳ２０３へ移行してＳ２０３〜Ｓ２０９を継続して行う。
【００３７】
次に、図６のＳ２０６においてＭＦＰの制御部が行う相手先情報判定処理を図７の実施例における相手先情報判定処理の流れを示すフローチャートの図中Ｓで表すステップに従って図１および図４を参照しながら説明する。なお、ＭＦＰ２は、図３に示すように、操作パネル４７でユーザの操作を受付けてＦＬＡＳＨメモリ４４の自機電話番号に国コード（例えば、“８１＋”）を含む自ＭＦＰの電話番号を登録しておくものとする。
【００３８】
Ｓ３０１：ＭＦＰ２の制御部１１（相手先情報判定部２９）は、ＦＬＡＳＨメモリ４４に格納された自機電話番号の先頭から“＋”文字までの文字を取得する。
Ｓ３０２：制御部１１は、自機電話番号の先頭から“＋”文字までの文字を取得できたか否かを判定する。制御部１１は、自機電話番号の先頭から“＋”文字までの文字を取得できたと判定すると処理をＳ３０３へ移行し、取得できなかったと判定すると処理をＳ３０８へ移行する。
【００３９】
Ｓ３０３：自機電話番号の先頭から“＋”文字までの文字を取得できたと判定した制御部１１は、ファクシミリ管理情報７０の当該管理番号の相手先情報（ＴＳＩ）７４に格納された相手先情報の先頭から“＋”文字までの文字を取得する。
Ｓ３０４：制御部１１は、相手先情報の先頭から“＋”文字までの文字を取得できたか否かを判定する。制御部１１は、相手先情報の先頭から“＋”文字までの文字を取得できたと判定すると処理をＳ３０５へ移行し、取得できなかったと判定すると処理をＳ３０８へ移行する。
【００４０】
Ｓ３０５：相手先情報の先頭から“＋”文字までの文字を取得できたと判定した制御部１１は、自機電話番号の先頭から“＋”文字までの文字と、相手先情報の先頭から“＋”文字までの文字とを比較し、一致するか否かを判定する。制御部１１は、一致すると判定すると相手先は国内であると判断して処理をＳ３０７へ移行し、一致しないと判定すると相手先は海外であると判断して処理をＳ３０６へ移行する。
【００４１】
このように、制御部１１（相手先情報判定部２９）は、自機電話番号に含まれる国コードと、相手先情報に含まれる国コードとを比較し、一致する場合、送信元である相手先が国内であると判定し、一致しない場合、送信元である相手先が海外であると判定する。
Ｓ３０６：自機電話番号の先頭から“＋”文字までの文字と、相手先情報の先頭から“＋”文字までの文字とが一致しないと判定した制御部１１は、ファクシミリ管理情報７０の当該管理番号の国種別７３に“海外”を表す情報を格納して本処理を終了する。
【００４２】
Ｓ３０７：自機電話番号の先頭から“＋”文字までの文字と、相手先情報の先頭から“＋”文字までの文字とが一致すると判定した制御部１１は、ファクシミリ管理情報７０の当該管理番号の国種別７３に“国内”を表す情報を格納して本処理を終了する。
Ｓ３０８：Ｓ３０２およびＳ３０４において文字を取得できなかったと判定した制御部１１は、ファクシミリ管理情報７０の当該管理番号の国種別７３に相手先が「海外」または「国内」であることが判別できなかったことを表す情報として「ＦＦＦＦＦＦＦＦ」を格納して本処理を終了する。
【００４３】
このように、制御部１１が、相手先情報判定部２９の判定結果に基づいて画像蓄積部２３によりにＦＬＡＳＨメモリ４４に蓄積させたままとする画像データと、サーバ６０に蓄積する画像データとを決定し、ファクシミリ受信した画像データの送信元が海外である場合、受信した画像データをＦＬＡＳＨメモリ４４に蓄積させたままとし、ファクシミリ受信した画像データの送信元が海外でない場合、受信した画像データをサーバ６０の記憶部に格納するようにしたことにより、ファクシミリ画像の再送信にかかる費用を低減させることができる。
【００４４】
以上説明したように、本実施例では、制御部が、相手先情報判定部の判定結果に基づいてＦＬＡＳＨメモリに蓄積させたままとする画像データと、外部装置の記憶部に蓄積する画像データとを決定するようにしたことにより、ファクシミリ画像の再送信にかかる費用を低減させることができるという効果が得られる。
なお、本実施例では、画像形成装置をＭＦＰとして説明したが、それに限られるものでなく、ファクシミリ受信機能を備えたファクシミリ装置としても良い。
【符号の説明】
【００４５】
１    画像形成システム
２    ＭＦＰ
２ａ  ＭＦＰ（送信側）
２ｂ  ＭＦＰ（受信側）
１１  制御部
２１  システム制御部
２２  読取制御部
２３  画像蓄積部
２４  操作パネル制御部
２５  通信制御部
２６  印刷制御部
２７  符号化復号化部
２８  受信画像バックアップ部
２９  相手先情報判定部
４２  ＲＯＭ
４３  ＲＡＭ
４４  ＦＬＡＳＨメモリ
４５  モデム
４６  読取装置
４７  操作パネル
４８  ＮＣＵ
４９  印刷装置
５０  ＮＩＣ
【図１】
2016134829.tif 000003
【図２】
2016134829.tif 000004
【図３】
2016134829.tif 000005
【図４】
2016134829.tif 000006
【図５】
2016134829.tif 000007
【図６】
2016134829.tif 000008
【図７】
2016134829.tif 000009